(57)【特許請求の範囲】
【請求項１】
スクリーン枠の上下横枠におけるガイド部により上下端をガイドされる操作框に、該スクリーン枠に張設するスクリーンの一端を取り付け、該操作框によりスクリーンの展張位置と収納位置との間での横移動による開閉を行う横引きスクリーン装置において、
上記スクリーン枠の上下横枠における各ガイド部が、上記操作框の横移動をガイドするものとして構成され、
上記下横枠で、スクリーンの展張状態において操作框が位置するスクリーン展張部位には、その部位にある操作框の下端に係止して該操作框の収納方向への移動を阻止する下掛け鈎を持った下ロック部材を備え、
該下ロック部材は、その上での操作框の展張部位側への横移動をガイドするが、操作框がスクリーン展張部位に達したときには、上記下掛け鈎が該操作框の下端に係止して操作框の収納方向への移動を阻止するものとして形成され、
上記上横枠のガイド部は、展張状態にあるスクリーンの操作框を持ち上げたときに、該操作框に係止する高さまで上動していた上記下掛け鈎を跨がせるのに支障となる部分を上動可能空間として、該操作框の持ち上げによる下掛け鈎の跨ぎにより、下横枠のガイド部によるガイドで操作框を収納方向へ移動可能に形成している、
ことを特徴とする横引きスクリーン装置。
【請求項２】
請求項１に記載の横引きスクリーン装置において、
下横枠に設ける下ロック部材が、ガイド部の長手方向における下横枠のスクリーン展張端側とその反対側の下掛け鈎の配設端側との間の中間部を支点として、該支点の両側を相互に昇降可能にした構成を備え、
下横枠のガイド部に沿ってスクリーンを展張部位側に移動させる操作框が、下ロック部材の下掛け鈎に達したときには、該操作框が下掛け鈎の上に乗り上げ、その重量により該下掛け鈎を下降させることにより、スクリーンの展張部位に向かって操作框が移動可能になり、その移動の段階で操作框が上記下ロック部材の支点を越えた後には、操作框の重量が下ロック部材における操作框の載置部を下横枠のガイド面の高さに保持して、該操作框の下端に下掛け鈎を係止させるものとして構成している、
ことを特徴とする横引きスクリーン装置。
【請求項３】
請求項１に記載の横引きスクリーン装置において、
下横枠に設ける下ロック部材が、ガイド部の長手方向における下横枠のスクリーン展張端側に支点部を配設し、該支点部上からガイド部側に延びて先端に下掛け鈎を有する操作框の載置部をバネ部材により傾動自在に下支えして、操作框が下掛け鈎の上に乗り上げたときに、該操作框が上記ガイド部と同じ高さになるようにした構成を備え、
下横枠のガイド部に沿ってスクリーンを展張部位側に移動させる操作框が、下ロック部材の下掛け鈎に達したときには、該操作框が下掛け鈎の上に乗り上げ、その重量により該下掛け鈎を上記ガイド部と同じ高さまで下降させて、該操作框がスクリーン展張部位に向かって移動可能となり、その移動により操作框が下掛け鈎を越えたとき、上記バネ部材の付勢力で操作框の下端に下掛け鈎を係止させるものとして構成している、
ことを特徴とする横引きスクリーン装置。
【請求項４】
請求項１〜３のいずれかに記載の横引きスクリーン装置において、
上記上横枠におけるスクリーン展張部位に、該部位にある操作框の上部に係止して該操作框の収納方向への移動を阻止する上掛け鈎を持った上ロック部材を備え、
該上掛け鈎は、上横枠のガイド部に沿って上記部位に向かって移動してきた操作框が上記部位まで横移動するのは該上掛け鈎の弾性的変位により許容するが、操作框が該部位に達したときには、該操作框の上端に設けた係止部片に下側から係止して操作框の収納方向への移動を阻止する高さまで弾性的に上動するものとして形成され、
展張状態にあるスクリーンの操作框の持ち上げによる上記下掛け鈎の跨ぎにより、下横枠のガイド部によるガイドで操作框の下部を収納方向へ移動可能にするとき、上記上ロック部材の上掛け鈎に係止している操作框の上端の係止部片も、当該操作框の持ち上げに伴って上記上掛け鈎を跨ぎ、それにより、上下横枠のガイド部によるガイドで操作框が収納方向へ移動可能に形成している、
ことを特徴とする横引きスクリーン装置。
【請求項５】
請求項１〜３のいずれかに記載の横引きスクリーン装置において、
操作框の上部に設けた昇降ガイドに沿って昇降自在に保持されながら、操作框の開閉移動に応じて上横枠内に設けた摺動レール上に沿って摺動する上ロック部品を備え、
上記摺動レールにおける上記スクリーン展張部位に、該部位まで操作框と共に移動した上ロック部品を一定量だけ落とし込む切り欠きを設けて、該切り欠きへの上ロック部品の落とし込みによる係止で、操作框の収納方向への移動が阻止されるものとして構成し、
展張状態にあるスクリーンの操作框の持ち上げによる上記下掛け鈎の跨ぎにより、下横枠のガイド部によるガイドで操作框の下部を収納方向へ移動可能にするときに、上記操作框の持ち上げに伴う上ロック部品の摺動レール上への持ち上げ復帰により、上下横枠のガイド部によるガイドで操作框を収納方向へ移動可能に形成している、
ことを特徴とする横引きスクリーン装置。
【請求項６】
請求項４に記載の横引きスクリーン装置において、
上記スクリーン枠における上横枠及び下横枠を上下対称形状に形成すると共に、上記上横枠及び下横枠に設けた上ロック部材と下ロック部材とを、それらの取付位置を相互に交換して取り付け可能とし、
該スクリーン枠をその枠面内において１８０°回転させることにより、吊り元を左右逆に変更可能にした、
ことを特徴とする横引きスクリーン装置。
【請求項７】
スクリーン枠の一対の縦枠がスクリーンの巻取軸を備えた巻取りボックスとして構成され、該スクリーン枠の上下横枠における共通のガイド部により上下端をガイドされる一対の操作框に、上記各巻取軸から導出した一対のスクリーンの各一端を取り付け、該操作框により両スクリーンをその展張位置と収納位置との間で横移動による開閉を独立に行う横引きスクリーン装置において、
下横枠における各スクリーンの展張状態において各操作框が位置するスクリーン展張部位に、それぞれ操作框の下端に係止して該操作框の収納方向への移動を阻止する下掛け鈎を持った下ロック部材を備え、
該下ロック部材は、その上までの操作框の展張部位側への横移動はガイドするが、操作框がスクリーン展張部位に達したときには、上記下掛け鈎が該操作框の下端に係止して操作框の収納方向への移動を阻止するものとして形成され、
上記上横枠のガイド部は、展張状態にあるスクリーンの操作框を持ち上げたときに、該操作框に係止する高さまで上動していた上記下掛け鈎を跨がせるのに支障となる部分を上動可能空間として、該操作框の持ち上げによる下掛け鈎の跨ぎにより、下横枠のガイド部によるガイドで操作框を収納方向へ移動可能に形成している、
ことを特徴とする横引きスクリーン装置。
【請求項８】
請求項７に記載の横引きスクリーン装置において、
上記上横枠におけるスクリーン展張部位に、該部位にある一対の操作框の各上部に係止して該操作框の収納方向への移動を阻止する一対の上掛け鈎を持った上中央ロック部材を備え、
該上掛け鈎は、上横枠のガイド部に沿って上記部位に向かって移動してきた各操作框が上記部位まで横移動するのは該上掛け鈎の弾性的変位により許容するが、各操作框が該部位に達したときには、該操作框の上端に設けた係止部片に下側から係止して各操作框の収納方向への移動を阻止する高さまで弾性的に上動するものとして形成され、
展張状態にある両スクリーンの各操作框の持ち上げによる上記下掛け鈎の跨ぎにより、下横枠のガイド部によるガイドで操作框の下部を収納方向へ移動可能にするとき、上記上ロック部材の上掛け鈎に係止している各操作框の上端の係止部片も、当該操作框の持ち上げに伴って上記上掛け鈎を跨ぎ、それにより、上下横枠のガイド部によるガイドで各操作框が収納方向へ移動可能に形成している、
ことを特徴とする横引きスクリーン装置。
【請求項９】
請求項７に記載の横引きスクリーン装置において、
上記一対の操作框の上部に設けた昇降ガイドに沿って昇降自在に保持されながら、操作框の開閉移動に応じて上横枠内に設けた摺動レール上に沿って摺動する上ロック部品を備え、
上記摺動レールにおける上記スクリーン展張部位に、該部位まで操作框と共に移動した上ロック部品を一定量だけ落とし込む切り欠きを設けて、該切り欠きへの上ロック部品の落とし込みによる係止で、操作框の収納方向への移動が阻止されるものとして構成し、
展張状態にあるスクリーンの操作框の持ち上げによる上記下掛け鈎の跨ぎにより、下横枠のガイド部によるガイドで操作框の下部を収納方向へ移動可能にするときに、上記操作框の持ち上げに伴う上ロック部品の摺動レール上への持ち上げ復帰により、上下横枠のガイド部によるガイドで操作框を収納方向へ移動可能に形成している、
ことを特徴とする横引きスクリーン装置。
【発明の詳細な説明】
【技術分野】
【０００１】
本発明は、横引きスクリーン装置に関するものであり、更に詳しくは、スクリーンを展張した状態において操作框をロックする機構を改良したところの横引きスクリーン装置に関するものである。
【背景技術】
【０００２】
従来から、横引きスクリーン装置における操作框を全展張状態でロックするロック機構としては、操作框とそれがスクリーンの全展張状態で当接する受け枠との間に、マグネットとそれに磁気的に吸着される吸着部材とを設けるマグネット方式、同様に、上記操作框とそれが当接する受け枠との間にラッチとそれが係止する受け部材を設けるラッチ方式、更には、特許文献１等に開示されているように、操作框がスクリーンの全展張位置に達したときに、該操作框がそのガイドレールに設けられた窪みに落とし込まれてそこに保持されるようにした落とし込み方式などが一般的に知られている。
【０００３】
しかしながら、上記マグネット方式では、スクリーンのサイズに応じたマグネットの吸着力の設定に問題があり、それが弱い場合にはスクリーンに当たる風の力によって吸着が解除されたり、逆に、吸着力が強過ぎる場合にはスクリーンの収納のために吸着を解除するのに大きな操作力が必要になるなどの問題がある。また、ラッチ方式では、鋭い先端を持ったラッチが露出することが危険性や意匠性の観点から嫌われることがある。更に、特許文献１に開示されているような落とし込み方式では、操作框が全展張状態でガイドレールの窪みに落とし込まれたときに、操作框に対するスクリーンの取付端もそれに追随するので、該スクリーンの操作框側近傍が一時的に変形し、或いは皺がよって見苦しくなるなどの問題がある。
【先行技術文献】
【特許文献】
【０００４】
【特許文献１】特開２００８−２５３３２号公報
【発明の概要】
【発明が解決しようとする課題】
【０００５】
本発明の技術的課題は、横引きスクリーン装置における操作框のロック機構として、上記マグネット方式やラッチ方式のように、その構成に基づく本質的な問題点がない落とし込み方式において、操作框がスクリーンの展張位置に達したときに、該操作框自体がガイドレールの窪み等に落とし込まれることなく、操作框のロックのために別設したロック部材のみがロック状態に変移し、そのため、操作框に取り付けたスクリーンがロック機構の影響を受けて変形したり、皺がよった状態にならないようにした横引きスクリーン装置を提供することにある。
【課題を解決するための手段】
【０００６】
上記課題を解決するため、本発明によれば、スクリーン枠の上下横枠におけるガイド部により上下端をガイドされる操作框に、該スクリーン枠に張設するスクリーンの一端を取り付け、該操作框によりスクリーンの展張位置と収納位置との間での横移動による開閉を行う横引きスクリーン装置において、上記スクリーン枠の上下横枠における各ガイド部が、上記操作框の横移動をガイドするものとして構成され、上記下横枠で、スクリーンの展張状態において操作框が位置するスクリーン展張部位には、その部位にある操作框の下端に係止して該操作框の収納方向への移動を阻止する下掛け鈎を持った下ロック部材を備え、該下ロック部材は、その上での操作框の横移動をガイドするが、操作框がスクリーン展張部位に達したときには、上記下掛け鈎が該操作框の下端に係止して操作框の収納方向への移動を阻止するものとして形成され、上記上横枠のガイド部は、展張状態にあるスクリーンの操作框を持ち上げたときに、該操作框に係止する高さまで上動していた上記下掛け鈎を跨がせるのに支障となる部分を上動可能空間として、該操作框の持ち上げによる下掛け鈎の跨ぎにより、下横枠のガイド部によるガイドで操作框を収納方向へ移動可能に形成していることを特徴とする横引きスクリーン装置が提供される。
【０００７】
本発明に係る横引きスクリーン装置の他の好ましい実施形態においては、下横枠に設ける下ロック部材が、ガイド部の長手方向における下横枠のスクリーン展張端側とその反対側の下掛け鈎の配設端側との間の中間部を支点として、該支点の両側を相互に昇降可能にした構成を備え、下横枠のガイド部に沿ってスクリーンを展張部位側に移動させる操作框が、下ロック部材の下掛け鈎に達したときには、該操作框が下掛け鈎の上に乗り上げ、その重量により該下掛け鈎を下降させることにより、スクリーンの展張部位に向かって操作框が移動可能になり、その移動の段階で操作框が上記下ロック部材の支点を越えた後には、操作框の重量が下ロック部材における操作框の載置部を下横枠のガイド面の高さに保持して、該操作框の下端に下掛け鈎を係止させるものとして構成される。
【０００８】
本発明に係る横引きスクリーン装置の他の好ましい実施形態においては、下横枠に設ける下ロック部材が、ガイド部の長手方向における下横枠のスクリーン展張端側に支点部を配設し、該支点部上からガイド部側に延びて先端に下掛け鈎を有する操作框の載置部をバネ部材により傾動自在に下支えして、操作框が下掛け鈎の上に乗り上げたときに、該操作框が上記ガイド部と同じ高さになるようにした構成を備え、下横枠のガイド部に沿ってスクリーンを展張部位側に移動させる操作框が、下ロック部材の下掛け鈎に達したときには、該操作框が下掛け鈎の上に乗り上げ、その重量により該下掛け鈎を上記ガイド部と同じ高さまで下降させて、該操作框がスクリーン展張部位に向かって移動可能となり、その移動により操作框が下掛け鈎を越えたとき、上記バネ部材の付勢力で操作框の下端に下掛け鈎を係止させるものとして構成される。
【０００９】
本発明に係る横引きスクリーン装置の好ましい実施形態においては、上記上横枠におけるスクリーン展張部位に、該部位にある操作框の上部に係止して該操作框の収納方向への移動を阻止する上掛け鈎を持った上ロック部材を備え、該上掛け鈎は、上横枠のガイド部に沿って上記部位に向かって移動してきた操作框が上記部位まで横移動するのは該上掛け鈎の弾性的変位により許容するが、操作框が該部位に達したときには、該操作框の上端に設けた係止部片に下側から係止して操作框の収納方向への移動を阻止する高さまで弾性的に上動するものとして形成され、展張状態にあるスクリーンの操作框の持ち上げによる上記下掛け鈎の跨ぎにより、下横枠のガイド部によるガイドで操作框の下部を収納方向へ移動可能にするとき、上記上ロック部材の上掛け鈎に係止している操作框の上端の係止部片も、当該操作框の持ち上げに伴って上記上掛け鈎を跨ぎ、それにより、上下横枠のガイド部によるガイドで操作框が収納方向へ移動可能に形成される。
【００１０】
本発明に係る横引きスクリーン装置の他の好ましい実施形態においては、操作框の上部に設けた昇降ガイドに沿って昇降自在に保持されながら、操作框の開閉移動に応じて上横枠内に設けた摺動レール上に沿って摺動する上ロック部品を備え、上記摺動レールにおける上記スクリーン展張部位に、該部位まで操作框と共に移動した上ロック部品を一定量だけ落とし込む切り欠きを設けて、該切り欠きへの上ロック部品の落とし込みによる係止で、操作框の収納方向への移動が阻止されるものとして構成し、展張状態にあるスクリーンの操作框の持ち上げによる上記下掛け鈎の跨ぎにより、下横枠のガイド部によるガイドで操作框の下部を収納方向へ移動可能にするときに、上記操作框の持ち上げに伴う上ロック部品の摺動レール上への持ち上げ復帰により、上下横枠のガイド部によるガイドで操作框を収納方向へ移動可能に形成される。
【００１１】
本発明に係る横引きスクリーン装置の他の好ましい実施形態においては、上記スクリーン枠における上横枠及び下横枠を上下対称形状に形成すると共に、上記上横枠及び下横枠に設けた上ロック部材と下ロック部材とを、それらの取付位置を相互に交換して取り付け可能とし、該スクリーン枠をその枠面内において１８０°回転させることにより、吊り元を左右逆に変更可能にすることができる。
【００１２】
また、上記課題を解決するため、本発明によれば、スクリーン枠の一対の縦枠がスクリーンの巻取軸を備えた巻取りボックスとして構成され、該スクリーン枠の上下横枠における共通のガイド部により上下端をガイドされる一対の操作框に、上記各巻取軸から導出した一対のスクリーンの各一端を取り付け、該操作框により両スクリーンをその展張位置と収納位置との間で横移動による開閉を独立に行う横引きスクリーン装置において、横枠における各スクリーンの展張状態において各操作框が位置するスクリーン展張部位に、それぞれ操作框の下端に係止して該操作框の収納方向への移動を阻止する下掛け鈎を持った下ロック部材を備え、該下ロック部材は、その上までの操作框の展張部位側への横移動はガイドするが、操作框がスクリーン展張部位に達したときには、上記下掛け鈎が該操作框の下端に係止して操作框の収納方向への移動を阻止するものとして形成され、上記上横枠のガイド部は、展張状態にあるスクリーンの操作框を持ち上げたときに、該操作框に係止する高さまで上動していた上記下掛け鈎を跨がせるのに支障となる部分を上動可能空間として、該操作框の持ち上げによる下掛け鈎の跨ぎにより、下横枠のガイド部によるガイドで操作框を収納方向へ移動可能に形成していることを特徴とする横引きスクリーン装置が提供される。
【００１３】
本発明に係る上記横引きスクリーン装置の好ましい実施形態においては、上記上横枠におけるスクリーン展張部位に、該部位にある一対の操作框の各上部に係止して該操作框の収納方向への移動を阻止する一対の上掛け鈎を持った上中央ロック部材を備え、該上掛け鈎は、上横枠のガイド部に沿って上記部位に向かって移動してきた各操作框が上記部位まで横移動するのは該上掛け鈎の弾性的変位により許容するが、各操作框が該部位に達したときには、該操作框の上端に設けた係止部片に下側から係止して各操作框の収納方向への移動を阻止する高さまで弾性的に上動するものとして形成され、展張状態にある両スクリーンの各操作框の持ち上げによる上記下掛け鈎の跨ぎにより、下横枠のガイド部によるガイドで操作框の下部を収納方向へ移動可能にするとき、上記上ロック部材の上掛け鈎に係止している各操作框の上端の係止部片も、当該操作框の持ち上げに伴って上記上掛け鈎を跨ぎ、それにより、上下横枠のガイド部によるガイドで各操作框が収納方向へ移動可能に形成することができる。
【００１４】
本発明に係る横引きスクリーン装置の好ましい実施形態においては、上記一対の操作框の上部に設けた昇降ガイドに沿って昇降自在に保持されながら、操作框の開閉移動に応じて上横枠内に設けた摺動レール上に沿って摺動する上ロック部品を備え、上記摺動レールにおける上記スクリーン展張部位に、該部位まで操作框と共に移動した上ロック部品を一定量だけ落とし込む切り欠きを設けて、該切り欠きへの上ロック部品の落とし込みによる係止で、操作框の収納方向への移動が阻止されるものとして構成し、展張状態にあるスクリーンの操作框の持ち上げによる上記下掛け鈎の跨ぎにより、下横枠のガイド部によるガイドで操作框の下部を収納方向へ移動可能にするときに、上記操作框の持ち上げに伴う上ロック部品の摺動レール上への持ち上げ復帰により、上下横枠のガイド部によるガイドで操作框を収納方向へ移動可能に形成することができる。
【発明の効果】
【００１５】
以上に詳述した本発明の横引きスクリーン装置によれば、操作框のロック機構として知られている落とし込み方式のように、操作框がスクリーンの展張位置に達したときに該操作框自体がガイドレールの窪み等に落とし込まれることがなく、操作框のロックのために別設したロック部材のみがロック状態に変移し、そのため、操作框に取り付けたスクリーンがロック機構の影響を受けて変形したり、皺がよった状態にならないようにした横引きスクリーン装置を提供することができる。
【図面の簡単な説明】
【００１６】
【図１】本発明に係る横引きスクリーン装置の第１実施例を、操作框によりスクリーンを展張位置においてロックした状態を示す一部破断正面図である。
【図２】（ａ）は図１のＩＩａ−ＩＩａ位置での側断面図、（ｂ）は同ＩＩｂ−ＩＩｂ位置での側断面図である。
【図３】同実施例における操作框の上下端を上下ロック部材の上下掛け鈎に係止させる直前の状態を示す要部正面図である。
【図４】同実施例における操作框の上端を上ロック部材の上掛け鈎に係止させる状態を示す一部破断正面図である。
【図５】同実施例における操作框の上下端を上下ロック部材の上下掛け鈎から離脱させる状態を示す一部破断正面図である。
【図６】同実施例における下ロック部材の構成を示す斜視図である。
【図７】同実施例における上ロック部材の構成を示す斜視図である。
【図８】本発明に係るスクリーン装置の第２実施例を、操作框の全展張状態においてロックした状態として示す一部破断正面図である。
【図９】同実施例の同ロックした状態を示す側断面図である。
【図１０】同実施例における操作框が開閉操作状態にあるときの側断面図である。
【図１１】同実施例における操作框の下端を下ロック部材の下掛け鈎に係止させる状態を示す一部破断正面図である。
【図１２】同実施例における操作框の上下端のロックを解除する状態を示す一部破断正図である。
【図１３】同実施例における下枠の要部斜視図である。
【図１４】同実施例における下ロック部材の斜視図である。
【図１５】同実施例における操作框の上端の上枠によるガイドの状態を示す要部斜視図である。
【図１６】同実施例における操作框の上端への上ロック部品の装着状態を示す分解斜視図である。
【図１７】上記第１実施例の横引きスクリーン装置のロック部材の基本構成を、左右両開きの横引きスクリーン装置に適用した第３実施例の正面図である。
【図１８】（ａ）は上記第３実施例における下中央ロック部材の側断面図、（ｂ）はその平面図である。
【図１９】同実施例における上中央ロック部材の側断面図である。
【図２０】上記第２実施例の横引きスクリーン装置を、両開きの横引きスクリーン装置に適用した第４実施例を示す要部正面図である。
【図２１】同実施例における下枠の要部平面図である。
【発明を実施するための形態】
【００１７】
図１〜図７は、本発明に係る横引きスクリーン装置の第１実施例を示している。この横引きスクリーン装置におけるスクリーン枠１は、図１及び図２等に明瞭に示すように、一対の縦枠２，３と上下横枠４，５とを備えている。上記縦枠２，３は、その一方の縦枠２が内部にスクリーン１０を巻き取るための巻取軸１２を備えた巻取式のスクリーン装置の巻取りボックスとして構成され、他方の縦枠３が、スクリーン１０の展張状態において該スクリーン１０の一端に取り付けられた操作框１４が当接する受け枠として構成されている。
【００１８】
上記横枠４，５は、それらの一端が巻取りボックスを構成する縦枠２の上下端に連結され、それらの他端が受け枠を構成する縦枠３の上下端に連結されている。上記巻取りボックス内に備えるスクリーンの巻取機構は、巻取軸１２内に設けた図示省略のスプリングの付勢力で、スクリーン１０を該巻取軸１２に巻取り収納するようにしたものである。上記スクリーン１０は、防虫網戸用のネットとして構成することができるが、それに限るものではない。
【００１９】
上記上下横枠４，５は、その内部に、スクリーン１０及び該スクリーンの一端に取り付けてそれを開閉操作する操作框１４の上下端の横移動を、該スクリーンの展張位置と収納位置との間でガイドするガイド部を備えるもので、互いの対向面側に溝状部４ａ，５ａを開口させた型材からなり、それらの開口の口縁に内向きに対向する各一対のガイド縁部６及び７が突設されている。一方、操作框１４の上下両端部には、図２に示すように、表裏両面側に上記横枠４，５の一対のガイド縁部６及び７の内側面によりガイドされる一対の立壁１６を備え、上記ガイド縁部６及び７により操作框１４の上下端をスクリーン１０の開閉方向に沿ってガイドするように構成している。
【００２０】
更に、上記下横枠５の溝状部５ａ内には、操作框１４の下端を支持してその横移動をガイドするガイド部として、ガイドレール２０を収容している。このガイドレール２０は、下横枠５の溝状部５ａの内底に保持させる支持基板２０ａの上方に平坦面２０ｂを形成し、それを操作框１４の下端の一対の立壁１６間に設けた一対の転輪１７を転動させるための転動面とするものである。
【００２１】
なお、図示の第１実施例では、上横枠４内にも同様のガイドレール２０を収容しているが、後述するように、この横引きスクリーン装置は、スクリーン枠１をその枠面内において１８０°回転させることにより吊り元を左右逆に変更可能にしているので、横枠４，５内のガイドレール２０としては、スクリーン枠１を反転した場合の下横枠として機能するように、同形のものを用いているためである。そのため、上横枠４においてはガイドレール２０が操作框１４のガイドを直接的に行うわけではないが、溝状部４ａの口縁に設けた一対のガイド縁部６と共に、操作框１４の移動路を設定している点でガイド部と言えるものである。
【００２２】
スクリーン１０の上下端を保持して横移動させるために、図示は省略しているが、スクリーン１０の上下端縁に多数の係合片を列設状態で取り付けている。上記スクリーン１０の上下端に取り付ける係合片は、汎用のファスナーの半体またはそれと同様な構造を有する素材を利用することができる。一方、上記上下横枠４，５内のガイドレール２０における平坦面２０ｂの背部には、該平坦面の中央部にスリット２０ｄを開口させている係合溝２０ｃを設け、該スリット２０ｄに上記係合片を係合させることにより、スクリーン１０の上下端を該スリット２０ｄに保持させて、横移動可能に形成している。
【００２３】
スクリーン枠１内の全面にスクリーン１０を展張した状態で、操作框１４をその位置にロックできるようにするため、上記上下横枠４，５には、スクリーン１０が展張状態にあるときに操作框１４が位置するスクリーン展張部位にまでガイドレール２０を設けることなく、下横枠５においてはその部位のガイドレールに代えて、下ロック部材２３を、上横枠４においては同じくその部位に上ロック部材２４を配設している。該下ロック部材２３は、その上での操作框１４の展張部位側への横移動をガイドするが、該操作框がスクリーン展張部位に達したときには、それが備えている下掛け鈎２３ａが操作框１４の下端に係止して該操作框の収納方向への移動を阻止するものである。
【００２４】
図１〜図６を参照して、下ロック部材２３の構成について説明するに、該下ロック部材２３は、上記ガイドレール２０の縦枠３側端にガイドレール２０の延長部分を構成するものとして配設したもので、下横枠５の溝状部５ａの内底に設けた基台２５上に、後述するように傾動自在に配設している。この下ロック部材２３は、操作框１４の前記転輪１７を常に転動させる転動面を備えるものではなく、操作框１４によりスクリーン１０を展張するときに、以下に説明するように、順次ガイドの状況を変動させながら、最終的には、図１に示すように、操作框１４の下端に設けた前記一対の立壁１６の下端を、下ロック部材２３上でその巻取りボックス側端に設けた下掛け鈎２３ａに係止させ、操作框１４の収納方向への横移動を阻止するものである。
【００２５】
該下ロック部材２３は、更に具体的には、下横枠５の縦枠３側端から下ロック部材２３のほぼ中央部分にまで達する基台２５に対し、図６に示すような固定子２７により傾動自在に保持させたもので、その傾動の支点は下ロック部材２３の下面の中間部における基台２５の端部付近にあり、基台２５から上方に向けて立設したガイド突子２５ａを下ロック部材２３内の縦溝２３ｂに嵌入して上下動をガイドさせ、図１と図３に示す姿勢間で傾動可能にしたものである。また、上記下ロック部材２３の両サイドの一対の下掛け鈎２３ａは、ガイドレール２０に面する側を操作框１４の下端による押圧で押し下げられる斜面２３ｃとし、更に両下掛け鈎２３ａよりも縦框３側における下ロック部材２３の両サイドには、スクリーン展張部位に移動した操作框１４の立壁１６の下端が載置される載置部２３ｄを形成している。
【００２６】
上記下ロック部材２３における操作框１４のガイドの状況を順次説明すると、図１に鎖線で示す位置の操作框１４を、ガイドレール２０に沿ってスクリーン１０を展張させる方向に移動させると、まず、操作框１４の下端が下掛け鈎２３ａの斜面２３ｃに当接し、該斜面２３ｃを押し下げたうえで、操作框１４が下ロック部材２３の上に乗り上げる。その後、更に操作框１４が移動すると、図３に示すように、該操作框１４の下端の先端部が傾斜した上記載置部２３ｄに達したうえで、該載置部２３ｄを押圧しながら移動するものである。
【００２７】
そして、上記操作框１４の先端部が下ロック部材２３の支点部を乗り越えると、操作框１４が該下ロック部材２３に対してその載置部２３ｄを水平に戻す力を作用させることになり、また、それと相前後して転輪１７も下ロック部材２３上に達するが、いずれにしても、操作框１４の下端の立壁１６が下ロック部材２３の下掛け鈎２３ａを越える位置に達すれば、操作框１４の重力により下ロック部材２３の載置部２３ｄが水平姿勢をとるようになり、その上に操作框１４の立壁１６が載置された図１の状態になる。この位置は、操作框１４がスクリーン展張部位にあって、該操作框１４が下ロック部材２３の下掛け鈎２３ａに係止している位置である。
【００２８】
なお、上記操作框１４が下ロック部材２３に達した後に、操作框１４の立壁１６が下掛け鈎２３ａを越えるときなどに、操作框１４を介して操作者の手に対し若干の操作框１４の上下動を感じることがあるかも知れないが、その手応えは、操作框１４が下ロック部材２３に達したことを操作者に伝える合図として許容できるものである。しかしながら、それをより小さいものにしたい場合には、下ロック部材２３自体やそれを基台２５に固定子２７で保持させる機構の全部または一部を弾性変形可能な素材で形成して上記操作框１４の上下動を軽減させればよい。そして、操作框１４に上記のような上下動があったとしても、スクリーンの展張時にそれが変形したり、皺がよった状態になることはない。
【００２９】
上記固定子２７による下ロック部材２３の基台２５への取付け構造としては、横枠５における下ロック部材２３の取付位置に固定される上記基台２５に設けた固定穴内に一対の螺旋溝を形成し、下ロック部材２３における上記基台２５の固定穴に対応する位置に設けた取付孔２３ｅに回転自在に弾性リング等でスナップ固定した上記固定子２７で固定するようにしたものである。該固定子２７は、上記基台２５の固定穴に設けた螺旋溝に係止するピンの一対が周面に突設されたものであり、該一対のピンを、上記基台２５の固定穴内の螺旋溝を通して、該固定穴内において操作框１４の移動方向と直交する方向に向けて保持させ、それにより下ロック部材２３の上述した傾動を可能にするものである。
【００３０】
前述したように、この横引きスクリーン装置はスクリーン枠１を上下反転させて吊り元を左右逆に変更可能にしているが、その際には上下横枠４，５内の上下ロック部材２４，２３の取付位置を交換する必要があり、そのため、下ロック部材２３と上ロック部材２４とは、それらを横枠４，５に固定する基台２５を共通化すると共に、それらの下ロック部材２３と上ロック部材２４の固定子２７も共通化して、簡単に交換可能に構成している。なお、下ロック部材２３の取り外しに際しては、その固定子２７を逆回転させることにより、該固定子２７のピンが螺旋溝に沿って移動することにより、下ロック部材２３が基台２５から浮上し、その取り外しを簡単に行うことができる。
【００３１】
上記構成の下ロック部材２３を備えた横引きスクリーン装置によれば、操作框のロック機構として知られている落とし込み方式（特許文献１参照）のように、操作框１４がスクリーン１０の展張位置に達したときに該操作框自体がガイドレールの窪み等に落とし込まれることなく、ロック部材のみがロック状態に変移するため、展張状態にあるスクリーンがロック機構の影響を受けて皺がよった状態になることがない。
【００３２】
上記下ロック部材２３による操作框１４の下端のロックを解除するためには、展張状態にあるスクリーン１０の操作框１４を図５に示すように持ち上げて、該操作框１４に係止する高さまで上動している下掛け鈎２３ａを跨がせればよく、該操作框１４の持ち上げによる下掛け鈎２３ａの跨ぎにより、下横枠５のガイド部によるガイドで操作框１４を収納方向へ移動させることが可能になる。なお、下ロック部材２３により操作框１４の下端がロックされている位置における該操作框１４の持ち上げは、図１及び図５を参照して後述するように、操作框１４上の上横枠４内に上動可能空間８を形成しているので、支障を来すことはない。
【００３３】
上記操作框１４にはスクリーン１０を介して巻取軸１２内の巻取りスプリングの付勢力が作用しているので、上記下ロック部材２３による操作框１４の下端のロックのみでは安定的にスクリーン１０を展張状態に保持できない場合、或いはより安定的に操作框１４をスクリーン展張部位に保持したい場合には、以下に説明する上ロック部材２４を、上記下ロック部材２３を備えた位置の上方における上横枠４に設ければよい。なお、前述したように、スクリーン枠１を上下反転させて吊り元を左右逆に変更可能にし、その際に上下ロック部材２４，２３の取付位置を容易に交換可能にするため、両ロック部材を固定する基台２５及び固定子２７を共通化しているので、それらについての説明は省略する。
【００３４】
図１〜図５及び図７を参照して、上記上ロック部材２４の構成について説明すると、該上ロック部材２４は、上横枠４の下向きに開口する溝状部４ａの内底において、縦枠３側端から上ロック部材２４のほぼ中央部分にまで達する基台２５に対し、固定子２７により傾動自在に保持させたもので、その傾動の支点は上ロック部材２４の下面のほぼ中央部分における基台２５の端部付近にある。上記上ロック部材２４は、図１と図４に示す姿勢間で傾動可能にしているが、内部に収容したバネにより、常時は図１の状態に保持させている。
【００３５】
また、上記上ロック部材２４は、図７に示すように、両サイドにおいて上記支点よりも巻取軸１２側に突出する部位に、上向きに突出する一対の上掛け鈎２４ａを備え、該上掛け鈎２４ａのガイドレール２０に面する側を、スクリーン１０の展張のために巻取軸１２側から接近する操作框１４の一部、即ち、操作框１４の上端から上方に突出する一対の前記立壁１６の対向面側に突設した係合突子１６ａにより押し下げられるところの、斜面２４ｂに形成している。
なお、上記上ロック部材２４は、操作框１４自体を支持しないので、下ロック部材２３における載置部２３ｄのように、スクリーン展張部位に移動した操作框１４を支持する部位は備えていない。
【００３６】
上記上ロック部材２４における操作框１４のガイドの状況について説明すると、図１に鎖線で示す位置の操作框１４を、ガイドレール２０に沿ってスクリーン１０を展張させる方向に移動させ、図３の状態を経て更にその移動を進行させると、図４に示すように、操作框１４の上端から突出する一対の立壁１６の対向面における一対の係合突子１６ａが、それぞれ上ロック部材２４における一対の上掛け鈎２４ａの背面の斜面２４ｂに当接するに至る。
【００３７】
しかるに、上記上ロック部材２４は、基台２５との間に設けた図示しないバネにより上掛け鈎２４ａが下方に傾動可能に保持されているので、上記斜面２４ｂを押圧する係合突子１６ａの作用により下方に移動して係合突子１６ａの通過を許容し、操作框１４が図１に示す位置まで移動したときに、上ロック部材２４に作用しているバネの復帰力により上掛け鈎２４ａが図３の位置まで上動し、該上掛け鈎２４ａが操作框１４の下端に係止することになる。なお、上記バネに代えて、上掛け鈎２４ａ自体を弾性的に上動させるものとしてもよい。
【００３８】
このように上下端をロックした操作框１４の該ロックを解除するには、前述の下ロック部材２３による操作框１４の下端のロック解除の説明において述べたところと同様に、展張状態にあるスクリーン１０の操作框１４を、図５に示すように、操作框１４上の上横枠４内に設けられている上動可能空間８に持ち上げればよく、それにより、該操作框１４の上端に突設した一対の立壁１６の係合突子１６ａが上掛け鈎２４ａを跨ぐ高さまで持ち上げられれば、上横枠４のガイド部によるガイドで操作框１４を収納方向へ移動させることが可能になる。この操作框１４の持ち上げにおいては、その持ち上げ高さが、該操作框１４の下端に係止する高さまで上動している下掛け鈎２３ａを跨ぐ高さであることも必要で、これにより上下端をロックした操作框１４の該ロックを同時に解除することができる。
【００３９】
上述した横引きスクリーン装置は、スクリーン枠１の外形を実質的に上下対称形状に形成し、スクリーン枠１の枠面内における１８０°の回転により、スクリーン１０の吊り元を左右逆に変更可能にしたものであるが、その変更に際しては、上述したように、上ロック部材２４と下ロック部材２３の取付位置の変更を行うことが必要である。なお、この両ロック部材の位置の変更により、新しい上横枠におけるスクリーン展張部位には、そこに上ロック部材２４を取り付けることにより、上記上動可能空間８が必然的に形成されるものである。
【００４０】
次に、図８〜図１６を参照して、本発明に係る横引きスクリーン装置の第２実施例について説明する。この横引きスクリーン装置におけるスクリーン枠３１は、図８及び図９等に明瞭に示すように、第１実施例と同様な一対の縦枠３２，３３と上下横枠３４，３５とを備え、その一方の縦枠３２がスクリーン１０の巻取軸４２を備えた巻取りボックスとして、他方の縦枠３３が、スクリーン１０の操作框４４が当接する受け枠として構成されたものである。上記横枠３４，３５の各一端が縦枠３２の上下端に連結され、各他端が縦枠３３の上下端に連結され、巻取軸４２内に設けたスプリングの付勢力でスクリーン１０を巻取軸４２に巻取り収納するなどの構成も、第１実施例と変わるところがない。
【００４１】
上記上下横枠３４，３５は、スクリーン１０及び該スクリーンの一端に取り付けてそれを開閉操作する操作框４４の各上下端の横移動を、該スクリーン１０の展張位置と収納位置との間でガイドするもので、第１実施例と同様に、それらの対向面側に溝状部３４ａ，３５ａを開口させて、該開口の口縁に各一対のガイド縁部３６及び３７を突設し、それにより操作框４４の上下両端部に設けた一対の立壁４６の外表面をガイドさせている。
【００４２】
また、上記上下横枠３４，３５の溝状部３４ａ，３５ａ内には、操作框４４の横移動をガイドするガイドレール５０，５１を収容している。それらのうちで、特に、下横枠３５のガイドレール５１は、第１実施例の場合と同様に、下横枠３５の溝状部３５ａの内底に保持させる支持基板５１ａの上方に平坦面５１ｂを形成し、それを操作框４４の下端の一対の転輪４７を転動させるための転動面としている。
【００４３】
一方、上記上横枠３４の溝状部３４ａ内のガイドレール５０は、上記下横枠３５のガイドレール５１と共に、第１実施例と同様なスクリーン１０の上下端縁の多数の係合片を係合させるスリット５０ｄ，５１ｄを、それぞれのガイドレールにおける対応位置の平坦面５０ｂ，５１ｂの中央部に開口させ、該スリットに上記係合片を係合させることによりスクリーン１０の上下端を保持させて、横移動可能に形成している。
なお、この第２実施例の横引きスクリーン装置は、第１実施例のように、スクリーン枠の反転により吊り元を左右逆に変更する構成を備えないので、上横枠３４のガイドレール５０に転輪４７の転動面を設ける必要がないなど、第１実施例のガイドレールと一部の構成が異なるだけでなく、上下のガイドレール５０，５１にも後述するような構成の相違がある。
【００４４】
第２実施例の下ロック部材５３の構成について説明すると、下横枠３５に設ける該下ロック部材５３は、上記ガイドレール５１の縦枠３３側に該ガイドレールの延長部分を構成するものとして配設したもので、下横枠３５の溝状部３５ａの内底におけるスクリーン展張端側において支点部５３ｅを配設し、該支点部５３ｅ上から下ロック部材５３の両サイドをガイドレール５１側に延びて、先端に一対の下掛け鈎５３ａを有する操作框４４の載置部５３ｄを、バネ部材５３ｂにより傾動自在に下支えさせている。上記一対の下掛け鈎５３ａは、ガイドレール２０に面する側を、操作框４４の下端による押圧で押し下げられる斜面２３ｃとしたものであり、また、下ロック部材５３の両サイドの載置部５３ｄは、スクリーン展張部位に移動した操作框４４の立壁４６の下端を載置できるように形成したものである。
【００４５】
そのため、下横枠３５のガイド部に沿ってスクリーン１０を展張部位側に移動させた操作框４４の下端が下掛け鈎５３ａの斜面５３ｅに当たることにより、該操作框４４がその上に乗り上げたときには、その重量により下掛け鈎５３ａが押し下げられて、操作框４４が上記ガイド部と同じ高さでスクリーン展張端側に移動し、更に、該操作框４４が載置部５３ｄの先端の下掛け鈎５３ａを越えると、操作框４４に設けた前記一対の立壁４６の下端にバネ部材５３ｂの付勢力で掛け鈎５３ａが係止し、収納方向への横移動を阻止されて、スクリーン展張部位に保持される。
【００４６】
上記下ロック部材５３は、操作框４４の下端に設けた前記一対の立壁４６の下端が上記下ロック部材５３の水平な載置部５３ｄ上にあるとき、その操作框４４の高さが、該操作框の転輪４７が上記ガイドレール５１の平坦面５１ｂ上を転動するときの高さと同じになるように設定している。そのため、特許文献１の落とし込み方式のように、操作框に取り付けたスクリーンがロック機構の影響を受けて変形したり、皺がよった状態になることはない。
【００４７】
一方、この第２実施例に係る横引きスクリーン装置においては、前記第１実施例における上ロック部材２４に対応する上ロック部品５４を備えている。この上ロック部品５４の構成について説明すると、該上ロック部品５４は、概略的には、操作框４４の上部に設けた昇降ガイド４６ａに沿って昇降自在に保持されながら、操作框４４の開閉移動に応じて上横枠３４内に設けた摺動レール５０ｅ上に沿って摺動するが、操作框４４がスクリーン展張部位に達したときには、摺動レール５０ｅの切除部５０ｆに落とし込まれて係止するような構成を備えている。
【００４８】
より具体的には、該上ロック部品５４は、図１５及び図１６に明瞭に示すように、操作框４４の上端における前記立壁４６の上部外面を昇降ガイド４６ａとして、それに上下に摺動自在に被嵌するキャップ状をなすものとして構成され、操作框４４がスクリーン展張部位に達するまでのスクリーン１０の開閉操作段階では、該上ロック部品５４の一部である摺動部５４ａを、上横枠３４内のガイドレール５０における外側面に形成した摺動レール５０ｅ上に摺動自在に載置し、スクリーン展張部位においては、図８及び図１５に明瞭に示すように、上記摺動レール５０ｅを切り欠いた切除部５０ｆを形成して、上ロック部品５４をそこに一定量だけ落とし込むことにより、該上ロック部品５４から下方に突出させた突出部５４ｂ等を上記ガイドレール５０等に設けたストッパ部５０ｇへ係止させ、操作框４４の収納方向への移動が阻止されるように構成している。
【００４９】
上記第２実施例では、摺動レール５０ｅをガイドレール５０における外側面（前記平坦面５０ｂの背面側）に形成しているが、そこに限るものではなく、例えば、上横枠３４の内側面等に形成することもでき、また、スクリーン展張部位においてストッパ部５０ｇに当接する突出部５４ｂは、該上ロック部品５４の任意部位に形成することができる。
更に、図示の実施例では、一対の立壁４６の一方のみに上ロック部品５４を被嵌しているが、その両方でもよく、また、上記立壁４６とは異なる部位に設けた昇降ガイド４６ａを用いることもできる。
【００５０】
このように、上ロック部品５４を下ロック部材５３と共にロックした操作框４４の該ロックを解除するには、前述の下ロック部材５３による操作框４４の下端のロック解除と同様に、展張部位にあるスクリーン１０の操作框４４を、図１２に示すように、操作框４４上の上横枠４内に設けられている上動可能空間３８に持ち上げればよく、それにより、該操作框４４の上端の昇降ガイド４６ａに被嵌している上ロック部品５４を摺動レール５０ｅ上への持ち上げ復帰させることにより、上下横枠のガイド部によるガイドで操作框を収納方向へ移動可能に摺動自在に載置すれば、上横枠４のガイド部によるガイドで操作框４４を収納方向へ移動させることが可能になる。この操作框４４の持ち上げにおいては、その持ち上げ高さが、該操作框４４の下端に係止する高さまで上動している下掛け鈎２３ａを跨ぐ高さであることも必要で、これにより上下端をロックした操作框４４の該ロックを同時に解除することができる。
【００５１】
なお、スクリーン展張部位における操作框４４の上動可能空間３８への持ち上げ後に、上ロック部品５４をガイド部側へ移動させて摺動レール５０ｅ上に載せる必要があるが、ガイドレール５０の支持基板５０ａのスクリーン展張部位側端がその操作框４４の移動の障害になるようであれば、図示しているように、該支持基板のスクリーン展張部位側端に必要な切り欠き５０ｈを設けて上記上動可能空間３８を拡大すればよい。
【００５２】
図１７は、前記第１実施例の横引きスクリーン装置が備えているロック機構の基本構成を、左右一対のスクリーンを両側に開く両開きの横引きスクリーン装置に適用した第３実施例を示している。
この第３実施例の両開きの横引きスクリーン装置の全体的構成は、スクリーン枠６１の左右一対の縦枠６２Ａ，６２Ｂが、第１実施例と同様に、内部にスクリーンの巻取軸７２を備えた巻取りボックスとして構成され、該スクリーン枠の上下横枠６４，６５における共通のガイド部により上下端をガイドされる一対の操作框７４Ａ，７４Ｂに、上記各巻取軸から導出した一対のスクリーン１０Ａ，１０Ｂの各一端を取り付け、該操作框により両スクリーンをその展張位置と収納位置との間で横移動による開閉を独立に行うことにより、それらの開閉を可能にしたものである。
【００５３】
上記操作框７４Ａ，７４Ｂを、各スクリーン１０Ａ，１０Ｂの展張状態において該各操作框７４Ａ，７４Ｂが位置するスクリーン展張部位に保持するため、下横枠６５には、該下横枠におけるそれぞれの操作框７４Ａ，７４Ｂの下端に係止して、該操作框の収納方向への移動を阻止する下中央ロック部材８３を備え、また上横枠６４には、各操作框の上端に係止して該操作框の収納方向への移動を阻止する上中央ロック部材８４を備えている。上記上下中央ロック部材８３，８４を設置する部位は、両スクリーン１０Ａ，１０Ｂの展張範囲によって決まる展張位置に応じて、必ずしも上下の横枠６４，６５の長手方向の中央であるとは限らない。
【００５４】
上記中央ロック部材８３，８４の構成について具体的に説明すると、まず、図１７及び図１８に示す下中央ロック部材８３は、下横枠６５の内底に設けたガイドレール８１の中央部を切除したところの該下中央ロック部材８３の設置位置に、先端に下掛け鈎８５ｂを備える一対の下ロック部片８５を、保持基台８６により傾動自在に保持させて、該保持基台８６の中央部８６ａを固定している。上記保持基台８６による一対の下ロック部片８５の保持は、該下ロック部片８５の先端側を左右一対の縦枠６２Ａ，６２Ｂ側に向けて、該保持基台８６の中央部８６ａの下面両側に設けた一対の凹部８６ｂに、下ロック部片８５の基端側に設けた保持突子８５ａをそれぞれ嵌入し、上記下横枠６５の内底への保持基台８６の固定に際し、該保持突子８５ａが該凹部８６ｂから脱出するような空間をなくしている。また、保持基台８６に保持させた下ロック部片８５は、その上面にスクリーン展張部位に移動した操作框の立壁４６の下端を載置する載置部８５ｄを備え、該載置部８５ｄ上まで移動した操作框による重量バランス、或いは、下ロック部片８５の下部に設けたバネによって、下掛け鈎８５ｂを上動方向に付勢させるようにしている。
【００５５】
上記構成を備えた下中央ロック部材８３は、操作框７４Ａ，７４Ｂによりスクリーンを展張するとき、操作框の立壁４６の下端が下ロック部片８５の上でその先端側に設けた下掛け鈎８５ｂを押し下げて、該下ロック部片８５の上を操作框の展張部位側へ横移動するのはガイドするが、その操作框がスクリーン展張部位に達したときには、上記下掛け鈎８５ｂが該操作框の下端に係止して操作框の収納方向への横移動を阻止するものである。
なお、展張状態にあるスクリーンを縦枠６２Ａ，６２Ｂ内に収納する場合に、上記上横枠６４のガイド部において、展張状態にあるスクリーンの操作框を持ち上げたときに、操作框の下端に係止する高さまで上動していた上記下掛け鈎を跨がせるのに支障となる部分を上動可能空間として、操作框の持ち上げによる下掛け鈎の跨ぎにより操作框を収納方向へ移動可能に形成する必要があることは、第１実施例の場合と同様である。
【００５６】
一方、上中央ロック部材８４は、図１７及び図１９から分かるように、上横枠６４における該中央ロック部材の設置部位において、該上横枠内部に収容したガイドレール８０の中間を切除することにより、その切除部分に固定的に設置するものである。該上中央ロック部材８４は、上横枠６４に固定する保持基盤９０に対し、両端にそれぞれ一対の上掛け鈎９２ａを備えた上ロック部材９２が、該上ロック部材９２を保持基盤９０に対して上下可動に保持した状態でネジ９３により取り付けて、該ネジの頭部と上ロック部材９２の取付筒との間に縮設したスプリング９４により、該上ロック部材９２を保持基盤９０側に付勢させている。
【００５７】
上記上ロック部材９２の上掛け鈎９２ａの機能は、先に説明した第１実施例における操作框１４の上端の一対の立壁１６の対向面側に突設した係合突子１６ａと同様に、この第３実施例においても、操作框７４Ａ，７４Ｂの立壁７６に同様な係合突子７６ａを備え、展張部位に達した操作框７４Ａ，７４Ｂの係合突子７６ａにより上記上掛け鈎９２ａが押し下げられて、該上掛け鈎９２ａに係合突子７６ａが係止するため、第１実施例の場合と同様にして、該操作框の収納方向への移動が阻止されるものである。また、この上ロック部材９２によるロックの解除を行うための機構及びその操作方法も、上記第１実施例の場合と実質的に変わるところがない。なお、図１９中の符号９５は、単なる隙間カバーを示している。
【００５８】
図２０及び図２１は、基本的に、上記第２実施例の横引きスクリーン装置が有している構成を、両開きの横引きスクリーン装置に適用した第４実施例を示している。この横引きスクリーン装置は、図１７に示す第３実施例の横引きスクリーン装置と同様に、一対のスクリーン１０Ａ，１０Ｂを、スクリーン枠６１における左右の縦枠とそれぞれの操作框７４Ａ，７４Ｂとの間に設け、両操作框によりそれぞれのスクリーンの開閉を独立に行い、中央部での両操作框７４Ａ，７４Ｂの召合せにより、両スクリーンを展張状態に保持するようにした両開きのものであり、第２実施例と同様な上ロック部品８４Ａ，８４Ｂ及び下ロック部材８３Ａ，８３Ｂを設けている点を除き、両開きのスクリーン装置の基本的な構成は上記第３実施例のものと変わるところがない。スクリーン枠６１の中央部で召合される一対の操作框７４Ａ，７４Ｂは、互いに第２実施例における縦枠３３と同様に他方の操作框の受け枠としての機能をも持つことになる。
【００５９】
そして、上下横枠６４，６５において、各スクリーン１０Ａ，１０Ｂの展張時に各操作框７４Ａ，７４Ｂが召合せ状態で位置する部位に、それぞれ、前記第２実施例と同様な上ロック部品８４Ａ，８４Ｂ及び下ロック部材８３Ａ，８３Ｂを設けている。これらの上ロック部品８４Ａ，８４Ｂ及び下ロック部材８３Ａ，８３Ｂの構成並びに作用は、第２実施例において説明したところと実質的に変わるところがないため、図中における第２実施例の各構成要素と対応する部分に、第２実施例と同じ符号を付して、それらの説明を省略する。
【符号の説明】
【００６０】
１      スクリーン枠
４      上横枠
５      下横枠
１０      スクリーン
１４      操作框
２０      ガイドレール
２３      下ロック部材
２３ａ    下掛け鈎
２４      上ロック部材
２４ａ    上掛け鈎
【図１】
0006629648.tif 000002
【図２】
0006629648.tif 000003
【図３】
0006629648.tif 000004
【図４】
0006629648.tif 000005
【図５】
0006629648.tif 000006
【図６】
0006629648.tif 000007
【図７】
0006629648.tif 000008
【図８】
0006629648.tif 000009
【図９】
0006629648.tif 000010
【図１０】
0006629648.tif 000011
【図１１】
0006629648.tif 000012
【図１２】
0006629648.tif 000013
【図１３】
0006629648.tif 000014
【図１４】
0006629648.tif 000015
【図１５】
0006629648.tif 000016
【図１６】
0006629648.tif 000017
【図１７】
0006629648.tif 000018
【図１８】
0006629648.tif 000019
【図１９】
0006629648.tif 000020
【図２０】
0006629648.tif 000021
【図２１】
0006629648.tif 000022